【事件の表示】
　特許第３０６５８１８号「インクジェット記録装置」の請求項１ないし４に係る特許に対する特許異議の申立てについて、次のとおり決定する。
【結　論】
　訂正を認める。
　特許第３０６５８１８号の請求項１ないし４に係る特許を維持する。
【理　由】
１．手続きの経緯
  本件特許第３０６５８１８号に係る発明は、平成４年１０月２６日に特許出願され、平成１２年５月１２日にその特許権の設定の登録がなされ、その後、神尾誠より特許異議の申立てがなされ、次いで、取消理由通知がなされ、その指定期間内である平成１３年７月１６日に訂正請求がなされたものである。
２．訂正請求について
（２−１）.訂正の趣旨及び訂正の内容
　訂正請求の趣旨は、特許第３０６５８１８号の明細書を訂正請求書に添付した訂正明細書のとおり訂正することを求めることである。
  訂正の内容は以下のとおりである。
イ． 訂正事項１
    特許請求の範囲の減縮を目的として、特許請求の範囲の記載を、    
「【請求項１】複数のインク吐出用開口を有する記録ヘッドと、前記インク吐出用開口からインクを吸引するインク吸引ユニットと、を備えたインクジェット記録装置であって、
　前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、前記吸引部の表面は前記インク吐出用開口部分の表面に当接して撓わむ弾性材で形成されており、前記移動手段によって前記吸引部を前記表面に沿って移動させながら前記吸引部によって順次覆われたインク吐出用開口からインクを吸引することを特徴とするインクジェット記録装置。      
【請求項２】移動手段はインクジェット記録装置が非記録動作時に、吸引部を記録ヘッドの一方の端のインク吐出用開口部分から他方の端のインク吐出用開口部分へ相対移動させることにより、前記インク吐出用開口部分に付着したインク滴及び異物を清掃することを特徴とする請求項１記載のインクジェット記録装置。
【請求項３】インク吸引ユニットは、インク吐出用開口部分の表面に当接して撓わむ弾性材が吸引部に設けてあり、移動手段はインクジェット記録装置が非記録動作時に前記弾性材をインク吐出用開口の表面に当接して撓わませ吸引部をインク吐出用開口の表面に沿って移動させることを特徴とする請求項１または２記載のインクジェット記録装置。
【請求項４】前記記録ヘッドには、前記インク吐出用開口からインクを吐出するためのエネルギーを発生する発熱素子が設けられていることを特徴とする請求項１〜３いずれかに記載のインクジェット記録装置。」と訂正する。
ロ．訂正事項２
  上記訂正事項１による特許請求の範囲の減縮に伴い生じる特許請求の範囲の記載と、発明の詳細な説明の記載との不整合を回避するために、明瞭でない記載の釈明を目的として、段落【００１５】を、
 「【課題を解決するための手段】
このため、この発明に係るインクジェット記録装置は、複数のインク吐出用開口を有する記録ヘッドと、前記インク吐出用開口からインクを吸引するインク吸引ユニットと、を備え、前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、前記吸引部の表面は前記インク吐出用開口部分の表面に当接して撓わむ弾性材で形成されており、前記移動手段によって前記吸引部を前記表面に沿って移動させながら前記吸引部によって順次覆われたインク吐出用開口からインクを吸引することを特徴とする構成によって、前記の目的を達成しようとするものである。」と訂正する。
（２−２）訂正の目的の適否、及び新規事項・拡張・変更の存否
  上記訂正事項１は、特許請求の範囲に記載された吸引部を、実施例の構成に従ってより具体的な構成に限定したものであり、減縮に該当し、上記訂正事項２は、特許請求の範囲の記載と考案の詳細な説明の記載との不整合を回避するために行った、明瞭でない記載の釈明に該当するものということができる。
 また、 これら訂正事項１〜２は、願書に添付した明細書及び図面に記載された事項の範囲内の訂正であり、実質的に特許請求の範囲を拡張又は変更するものではない。
　以上のとおりであるから、上記訂正は、特許法等の一部を改正する法律（平成６年法律第１１６号）附則第６条第１項の規定によりなお従前の例によるとされる特許法第１２０条の４第３項において準用する平成６年法律第１１６号による改正前の特許法第１２６条第１項ただし書き、第２項及び第３項の規定に適合するので、当該訂正を認める。
３．特許異議申立について
（３−１）特許異議申立の理由の概要
特許異議申立人神尾誠は、甲第１号証を提出し、本件請求項１〜４に係る発明は、甲第１号証である特願平４−１７７７０６号（特開平５−２０１０２８号公報参照）の願書に最初に添付した明細書又は図面（以下、「先願明細書」という。）に記載された発明と同一であるから、特許法第２９条の２の規定により特許を受けることができないものであり、その特許を取り消すべき旨主張している。
（３−２）本件請求項１〜４に係る発明
　本件請求項１〜４に係る発明は、訂正明細書の特許請求の範囲に記載されたとおりのものと認める。
（３−３）先願明細書の記載事項
  当審が先に通知した取消理由で引用した先願明細書には、本件の請求項１〜４に係る発明の構成要件に関連する事項として、以下の事項が記載されているものと認める。
　先願明細書の段落【０００６】には、「ヘッド本体１内に多数のノズル２が配列形成されてヘッド本体１端部が平面状に形成されたインクジェットヘッド・・・・・吸引用開口５が一若しくは数個単位のノズル２領域に面した大きさに形成される局所吸引手段４と、この局所吸引手段４の吸引用開口５をノズル２の配列方向に向かって相対的に移動させる吸引用開口移動手段６とを備えた・・・・・」と記載され、
　段落【００１８】には、「バキュームノズル２０がインクジェットヘッド１０に押圧される。このとき、バキュームノズル２０は、インクジェットヘッド１０の長手方向端部に位置しており、バキュームノズル２０はヘッド本体１１のノズル１３に正対していない。」と記載され、
　段落【００１９】には、「次に、真空ポンプ２７を動作させ、この真空ポンプ２７に連通するバキュームノズル２０から吸引動作を開始する。しかる後、図示外の移動走査装置がバキュームノズル２０をノズル１３の配列方向に・・・・・移動させ、吸引用開口２１とインクジェットヘッド１０とを相対的に移動させていく。この移動によって、ヘッド本体１１の各ノズル１３は順次バキュームノズル２０の負圧作用領域である吸引用開口に送り込まれる。・・・・・・すべてのノズル１３がバキュームノズル２０の負圧作用を受けた後、真空ポンプ２７及びバキュームノズル２０の移動走査装置は停止される。」と記載され、
　段落【００２０】には、「メンテナンス装置の移動走査装置の具体例を図５に示す。・・・・・メンテナンス装置及びキャップ装置３０は・・・・・キャリッジ３１上に設置されており、印字不良が発生したり、所定枚数や所定時間の印字動作が終了した時点で、機能の回復動作を行うようになっている。」と記載され、　
　段落【００１４】には、「バキュームノズル２０はインクジェットヘッド１０に対向配置されるもので、・・・・バキュームノズル２０をヘッド本体１１のノズル１３の配列方向に沿って移動走査させる際に、位置決めガイド２３がインクジェットヘッド１０のインク吐出側端部を抱き込んだ状態でノズル１３の配列方向に沿って拘束移動し、」と記載され、
　段落【００１５】には、「バキュームノズル２０の先端部の周囲にはノズル１３面保護用のノズルガード２２が設けられており、バキュームノズル２０が図示しない加圧機構によってインクジェットヘッド１０に押付けられたとき、位置決めガイド２３によって、ヘッド本体１１端面とノズル面保護用
のノズルガード２２が好ましい圧力で圧接配置される。」と記載され、
　段落【００１３】には、「ヘッド本体１１の内部には１９２個のノズル１３が直線状に１インチ当たり３００個の密度で配列されると共に、各ノズル１３部分には画像情報に応じてオンオフする発熱素子・・・が配列されており、」と記載され、
　段落【０００５】には、「この発明は、・・・・・ノズル内外の不要インクを確実に除去し、もって、ノズル目詰まり未然に防止すると共に、ノズルの目詰まりを確実に回復し、インクジェットヘッドの噴射安定性を確保できるようにしたインクジェットヘッドのメンテナンス装置を提供するものである。」と記載されている。
（３−４）対比・判断
（３−４−１）訂正明細書の請求項１に係る発明と、先願明細書に記載された発明とを比較すると、先願明細書には本件請求項１に係る発明の構成の一部の「吸引部の表面はインク吐出用開口部分の表面に当接して撓わむ弾性材で形成されており、移動手段によって吸引部を前記表面に沿って移動させながら前記吸引部によって順次覆われたインク吐出用開口からインクを吸引する」（以下「構成要件＠」という。）についての記載がなく、またそれを窺わせる示唆もなく、かつ当該技術分野において、上記構成要件＠が自明な技術的事項でもなく、そして、訂正明細書の請求項１に係る発明は、上記構成要件＠を具有することにより、訂正明細書の段落【００４１】に記載の「吸引部をオリフィスの表面に沿って移動させることにより、オリフィスの周辺部分に付着していたインク滴や異物を清掃して回収し、吐出異常の原因を除くことができ、信頼性の高い確実な吐出回復処理が可能である。」という特有の作用効果を奏するものである。
　したがって、訂正明細書の請求項１に係る発明は、上記先願明細書に記載された発明と同一とはいえない。
（３−４−２）訂正明細書の請求項２〜４に係る発明は、訂正明細書の請求項１に係る発明を技術的に限定したものであるから、訂正明細書の請求項２〜４に係る発明は、同じく上記先願明細書に記載された発明と同一とはいえない。
（３−５）むすび
　本件請求項１〜４に係る発明は、異議申立人神尾誠の提出した甲第１号証の先願明細書に記載された発明と同一とは認められない。
　したがって、特許異議申立人の主張は採用できない。
４．むすび
　以上のとおりであるから、本件特許異議申立ての理由及び提出された証拠方法によっては、本件請求項１〜４に係る発明の特許を取り消すことはできない。
　また、他に本件請求項１〜４に係る発明の特許を取り消すべき理由を発見しない。
　よって、結論のとおり決定する。
【異議決定日】
平成１３年７月２７日（２００１．７．２７）
【訂正の要旨】
本件訂正は、特許請求の範囲の減縮、明りょうでない記載の釈明、願書に添付した明細書の記載を以下の（１）及び（２）のように訂正するものである。
（１）特許請求の範囲の請求項の記載を、訂正明細書の特許請求の範囲の請求項に記載のとおり、
「【請求項１】複数のインク吐出用開口を有する記録ヘッドと、前記インク吐出用開口からインクを吸引するインク吸引ユニットと、を備えたインクジェット記録装置であって、
　前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、前記吸引部の表面は前記インク吐出用開口部分の表面に当接して撓わむ弾性材で形成されており、前記移動手段によって前記吸引部を前記表面に沿って移動させながら前記吸引部によって順次覆われたインク吐出用開口からインクを吸引することを特徴とするインクジェット記録装置。
　【請求項２】移動手段はインクジェット記録装置が非記録動作時に、吸引部を記録ヘッドの一方の端のインク吐出用開口部分から他方の端のインク吐出用開口部分へ相対移動させることにより、前記インク吐出用開口部分に付着したインク滴及び異物を清掃することを特徴とする請求項１記載のインクジェット記録装置。
　【請求項３】インク吸引ユニットは、インク吐出用開口部分の表面に当接して撓わむ弾性材が吸引部に設けてあり、移動手段はインクジェット記録装置が非記録動作時に前記弾性材をインク吐出用開口の表面に当接して撓わませ吸引部をインク吐出用開口の表面に沿って移動させることを特徴とする請求項１または２記載のインクジェット記録装置。
　【請求項４】前記記録ヘッドには、前記インク吐出用開口からインクを吐出するためのエネルギーを発生する発熱素子が設けられていることを特徴とする請求項１〜３いずれかに記載のインクジェット記録装置。」と訂正する。
（２）明細書の段落【００１５】を、
「【課題を解決するための手段】
このため、この発明に係るインクジェット記録装置は、複数のインク吐出用開口を有する記録ヘッドと、前記インク吐出用開口からインクを吸引するインク吸引ユニットと、を備え、前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、前記吸引部の表面は前記インク吐出用開口部分の表面に当接して撓わむ弾性材で形成されており、前記移動手段によって前記吸引部を前記表面に沿って移動させながら前記吸引部によって順次覆われたインク吐出用開口からインクを吸引することを特徴とする構成によって、前記の目的を達成しようとするものである。」と訂正する。
（５４）【発明の名称】
インクジェット記録装置
（５７）【特許請求の範囲】
　【請求項１】　複数のインク吐出用開口を有する記録ヘッドと、前記インク吐出用開口からインクを吸引するインク吸引ユニットと、を備えたインクジェット記録装置であって、
　前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、
前記吸引部の表面は前記インク吐出用開口部分の表面に当接して撓わむ弾性材で形成されており、前記
　【請求項２】　移動手段はインクジェット記録装置が非記録動作時に、吸引部を記録ヘッドの一方の端のインク吐出用開口部分から他方の端のインク吐出用開口部分へ相対移動させる
ことにより、前記インク吐出用開口部分に付着したインク滴及び異物を清掃する
　【請求項３】　インク吸引ユニットは、インク吐出用開口部分の表面に当接して撓わむ弾性材が吸引部に設けてあり、移動手段はインクジェット記録装置が非記録動作時に前記弾性材をインク吐出用開口の表面に当接して撓わませ吸引部をインク吐出用開口の表面に沿って移動させることを特徴とする請求項１または２記載のインクジェット記録装置。
　【請求項４】　前記記録ヘッドには、前記インク吐出用開口からインクを吐出するためのエネルギーを発生する発熱素子が設けられていることを特徴とする請求項１〜３いずれかに記載のインクジェット記録装置。
【発明の詳細な説明】
　【０００１】
　【産業上の利用分野】
　本発明は、記録用液体（インク）を吐出する複数のインク吐出用開口を所定方向に配列した記録ヘッドを備えたインクジェット記録装置に関するものである。
　【０００２】
　【従来の技術】
　図５は、上記のインクジェット記録装置に備えられる記録ヘッドの一例を示す斜視図である。
　【０００３】
　１は吐出エレメントであり、インクに吐出エネルギーを作用させる発熱素子等が並設に集積配設されたノズル、各ノズル前方に開口したインク吐出用開口であるオリフィス１０および各ノズルに供給するインクを貯留した共通液室等を有し、オリフィス１０によりインクを吐出して記録液滴の形成を行う。
　【０００４】
　３は吐出エレメント１を接着などにより固定するベースプレート、２は吐出エレメント１及びベースプレート端面にボルト等緊締部材により固定した前面プレートであり、オリフィス１０を記録媒体に直接対向させる開口を有する。１５，１６および１７はインク供給系の一部を成す部材であり、１５は吐出エレメント１内の共通液室にインクを導入するエルボ形状の接続部材、１７はインク供給源であるインクタンク等からのインク供給径路途中に配置されたフィルタユニット、１６は接続部材１５とフィルタユニット１７とを接続する供給管である。
　【０００５】
　図６および図７は、それぞれ図５に示す記録ヘッドの縦断面図および横断面図であり、吐出回復処理にあたって前面プレート２を介し吐出エレメント１のオリフィス開口面の全面を覆うキャップ部材４を接合させた状態を示す。
　【０００６】
　複数のオリフィス１０に対応するノズル１２は、所謂ひさし部と呼ばれる部分１３に接続され、ひさし部１３は共通液室１４に接続されている。１１はノズル１２内に設けられ、インクに吐出エネルギを作用させるエネルギ発生素子であり、例えば発熱素子で形成されている。フィルタユニット１７の内部には微小なゴミや気泡を除去するために、例えばリッジメッシュで構成されたフィルタ１８が設けられている。
　【０００７】
　図８は、従来のインクジェット記録装置における吐出回復系を示すブロック図である。通常の記録状態では、キャップ部材４は記録動作を阻害しない適宜の位置に設定されるとともに、バルブＢ２が閉、バルブＢ１およびＢ３が開状態に保たれ、インクタンク６よりバルブＢ１を通して吐出エレメント１にインクが毛管現象により供給される。
　【０００８】
　吐出回復処理を行うときには、キャップ部材４が吐出エレメント１に装着され、バルブＢ１が閉、バルブＢ２およびＢ３が開状態に保たれ、この状態でポンプ７を駆動してインクタンク６よりインク供給路内にインクを圧送し、吐出エレメント１へ加圧インクを供給してオリフィス１０より強制的にインクを噴出させる。このとき、吐出不良の要因となった塵埃，増粘インク，気泡等は噴出インクとともに吐出エレメント１より排出される。例えば、図７に示すように、ノズル１２中に侵入した微小な気泡ａは、ポンプ７を駆動することによりインクと共にオリフィス１０より除去される。而して、オリフィス１０より噴出したインクはキャップ部材４に受容され、廃インクタンク５へと導かれる。
　【０００９】
　【発明が解決しようとする課題】
　図９は、吐出回復処理時における従来装置のインクの流体工学的等価回路を示している。ここで、加圧力をΔＰ、ノズル数をｎ、ノズル１２の１本当たりの流体抵抗をＲ１、ひさし部１３の流体抵抗をＲＨ、共通液室１４の流体抵抗をＲＣ、フィルタ部１７の流体抵抗をＲＦ、フィルタ部１７以外のインクタンク６から共通液室１４までの流体抵抗をＲＳ、加圧力ΔＰにて加圧を行ったときのノズル１２の１本当りの流量をｑとすると、吐出回復処理時には以下の関係が成り立つ。
　【００１０】
　ΔＰ＝ｑＲ１＋ｎｑ（ＲＨ＋ＲＣ＋ＲＦ＋ＲＳ）　　　　　（１）
　∴ｑ＝ΔＰ／｛Ｒ１＋ｎ（ＲＨ＋ＲＣ＋ＲＦ＋ＲＳ）｝　（２）
通常は、Ｒ１≫ＲＨ＋ＲＣ＋ＲＦ＋ＲＳという関係が得られるように供給系の設計が行われるが、例えば記録幅に対応した数だけノズル１２を配列した形態の記録ヘッド、所謂フルマルチタイプの記録ヘッドの場合には、ノズル数ｎが大となり、ノズル１本当りに流れる流量ｑは非常に小さくなる。また、図８に示したようにノズル１２に気泡ａや塵挨等が侵入した場合には、そのノズルの流体抵抗が高くなる。このため、吐出不良が生じたノズルに流れる流量は、正常のノズルよりも更に小さくなる。
　【００１１】
　したがって、従来の吐出回復系を採用した場合、吐出不良が生じたノズルは回復動作によっても正常状態に復帰しなかったり、また、何度も回復処理を行わなければならない事態が生じることがあった。
　【００１２】
　また、このような流体抵抗に打勝つためには加圧力を大とする必要があり、そのため大なるポンプ７を設ける必要も生ずることがあり、このためインクの消費量が増大したり、さらには、大なる加圧力に耐えるように各部材の接合部分等の強度を増す必要が生じていた。
　【００１３】
　また、従来の吐出回復系においては、ノズル内の気泡、ごみ等の除去は可能であったが、吐出用開口周辺に付着したごみやインク滴の除去を完全に行うことは困難であった。
　【００１４】
　本発明は、上記従来技術の問題点を解消するために成されたもので、記録ヘッドのインク吐出用開口の塵挨等による目詰まり、或はインクの粘度増加、或は気泡の混入等により生じたインクの吐出異常を回復させ、或はインク吐出用開口の周辺に付着したインク滴や異物等によるインク吐出の異常原因を除去する、信頼性の高い確実な吐出回復処理が可能なインクジェット記録装置を提供することを目的とするものである。
　【００１５】
　【課題を解決するための手段】
　このため、この発明に係るインクジェット記録装置は、複数のインク吐出用開口を有する記録ヘッドと、前記インク吐出用開口からインクを吸引するインク吸引ユニットと、を備え、前記インク吸引ユニットは、前記複数のインク吐出用開口中の一部のインク吐出用開口を覆ってインクを吸引する吸引部と、該吸引部を前記インク吐出用開口の表面に沿って移動させる移動手段と、を備え、
前記吸引部の表面は前記インク吐出用開口部分の表面に当接して撓わむ弾性材で形成されており、前記
　【００１６】
　【作用】
　以上の構成により、記録ヘッドの複数のインク吐出用開口からインクを吐出して記録動作を行い、インク吐出の異常等を回復させる吐出回復動作時には、インク吸引ユニットに備えた吸引部によって、記録ヘッドに備えた複数のインク吐出用開口中の一部のインク吐出用開口を覆い、覆ったインク吐出用開口からインクを吸引する。そしてインク吸引ユニットに備えた移動手段によって吸引部をインク吐出用開口の表面に沿って移動させてインクを吸引することにより、部分的に効率よく吐出回復をさせながら、全部のインク吐出用開口の吐出回復をすると共に、インク吐出用開口の周辺に付着したインク滴や異物を清掃回収して吐出異常原因を除くことができる。
　【００１７】
　【実施例】
　以下、この発明に係るインクジェット記録装置を実施例により説明する。
　【００１８】
　図１は、この発明の第１実施例の要部構成を示すブロック図であり、吐出回復動作時の記録ヘッドおよびインク吸引ユニットの構成を示す。図２は第１実施例の要部断面図である。なお前記従来装置と同一または相当部分は同一符号で示し重複説明を省略する。
　【００１９】
　本実施例は、直線状態に並列している複数のインク吐出用開口（以下、オリフィスという）１０を有する記録ヘッド１と、吐出回復動作時にオリフィス１０からインクを吸引するインク吸引ユニットを備えている。
　【００２０】
　インク吸引ユニットは複数のオリフィス１０中の一部のオリフィス１０の開口表面部分を覆ってインクを吸引する吸引部８と、吸引部８をオリフィス１０の表面に当接して移動させるガイドスクリュー１９および駆動モータ２０からなる移動手段とを備えている。
　【００２１】
　以下、第１実施例の動作について説明する。
　【００２２】
　記録動作が所定時間経過、或はインクの吐出異常が発生したとき等、吐出回復動作の指示が出されたときは記録動作は停止し、インク吸引ユニットの吸引部８は記録ヘッド１の複数のオリフィス１０中の一方の端のオリフィス１０部分に密着して覆い、ポンプ７による吸引作用により覆ったオリフィス１０からインクを吸引する。そして移動手段のガイドスクリュー１９を駆動モータ２０によって回転させることにより、吸引部８をオリフィス１０の表面に沿って他方の端のオリフィス１０部分まで移動させながらインクを吸引することにより、吸引部８の開口部表面を清掃しながら、順次全部のオリフィス１０からインクを吐出させ、吐出させたインクおよび清掃された異物はポンプ７によって廃インクチューブ５Ａを経由して廃インクタンク５に回収される。
　【００２３】
　オリフィス１０からインク吐出させることにより、吐出異常の原因となっていたオリフィス１０内等の塵埃、粘度増加したインク、気泡等は吐出インクと共に排出されて吐出機能を回復する。なお、全部のオリフィス１０を同時にではなく部分的に順次に吸引してインクを吐出させることにより、効率的に完全に吐出機能を回復させることができる。
　【００２４】
　また吸引部８をオリフィス１０の表面に沿って移動させることにより、オリフィス１０の周辺部分に付着していたインク滴や異物を清掃して回収し、吐出異常の原因を除くことができる。
　【００２５】
　なお、吸引部８はオリフィス１０の表面に沿って一方の端のオリフィス１０部分から他方の端のオリフィス１０部分まで移動させる構成の他に、吐出不良が生じたオリフィス１０の近辺だけを移動させる構成とすることもできる。
　【００２６】
　なお、吸引部８の表面は弾性体で形成することが好ましく、例えば吸引部８の移動によりオフリィス１０を傷つけたりオリフィス１０面により損傷を受けにくい材質であるシリコンゴム等により形成することが望ましい。そして吸引部８の吸引面積は数十本のオリフィスから吸引可能であればよく、また吸引部８のオリフィス１０面への押しつけ力および移動スピードは、オリフィス１０の強度、吸引部８の表面強度、インク吸引力等より最適値を選ぶことができる。
　【００２７】
　（他の実施例）
　図３は、第２実施例のインクジェット記録装置のインク供給回復系を示す要部断面図である。前記第１実施例と同一または相当部分は同一符号で示し、重複説明を省略する。
　【００２８】
　本実施例の吸引部８は複数のオリフィスの一部からインクを吸引する。そして吸引部８にはオリフィス１０の表面に接触して撓む弾性材ブレード９が設けてある。
　【００２９】
　上記構成において、吐出回復操作の命令により、吸引部８はオリフィス１０の列の一方の端部からブレード９によりオリフィス面のインク滴やごみ等を掃き取ると共にオリフィス１０空インクを吸引しながら最終端オリフィスまで移動する。
　【００３０】
　即ち、吸引部８の移動前面側にブレード９を設けることにより、オリフィス面を拭きとった後にオリフィスのインクを吸引できるのでノズル１２内の気泡等を確実に除去でき、良好な印字が得られる。
　【００３１】
　図４は、第３実施例の要部断面図であり、前記第２実施例と同一または相当部分は同一符号で示し、重複説明を省略する。
　【００３２】
　第３実施例は、図示のように、ブレッド９によって吸引部８の一方の側辺部分を形成することにより、吸引部８の構造を簡略化して、第２実施例と同様の効果を有する実施例である。
　【００３３】
　なお、本発明は、ノズルを複数配列した形態の記録ヘッドであれば、その配列範囲ないし個数が記録媒体の全幅に対応したものであっても、或はそれ以下のものであっても、更にはフルマルチタイプのラインプリンタであっても、シリアルプリンタであっても、加えてインクの供給系の構成が如何なるものであっても極めて有効かつ容易に実施できることはもちろんである。
　【００３４】
　また、吸引部８の構成や、移動手段の構成等についても前記各実施例にのみ限らず、構成することができる。
　【００３５】
　更に、吐出機能の回復操作命令のための吐出不良の検知ないし不良が生じたオリフィス位置の検知は、通常の記録中またはテスト記録時に操作者の視認により行われるものであってもよく、或は記録媒体へのテスト記録等の結果を読取りセンサ等を用いて判定するようにしてもよい。加えて、前記の例では記録処理後に吐出不良を判定して回復操作を行うようにしたが、記録装置の電源投入直後や長期間休止後の記録開始前に吐出機能の回復操作を行うようにしてもよい。
　【００３６】
　本発明は、特にインクジェット記録方式の中でも熱エネルギーを利用する方式の記録ヘッド、記録装置に於て、優れた効果をもたらすものである。
　【００３７】
　その代表的な構成や原理については、例えば、米国特許第４７２３１２９号明細書、同第４７４０７９６号明細書に開示されている基本的な原理を用いて行うものが好ましい。この方式は所謂オデマンド型、コンティニュアス型のいずれにも適用可能であるが、特に、オデマンド型の場合には、液体（インク）が保持されているシートや液路に対応して配置されている電気熱変換体に、記録情報に対応していて核沸騰を越える急速温度上昇を与える少なくとも一つの駆動信号を印加することによって、電気熱変換対に熱エネルギーを発生せしめ、記録ヘッド熱作用面に膜沸騰させて、結果的にこの駆動信号に一対一対応し液体（インク）内の気泡を形成出来るので有効である。この気泡の成長，収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。尚、上記熱作用面の温度上昇率に関する発明の米国特許第４３１３１２４号明細書に記載されている条件を採用すると、更に優れた記録を行うことが出来る。
　【００３８】
　記録ヘッドの構成としては、上述の各明細書に開示されているような吐出口、液路、電気熱変換体の組み合わせ構成（直線状液流路または直角液流路）の他に作用部が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスリットを電気熱変換体の吐出部とする構成を開示する特開昭５９年第１２３６７０号公報や熱エネルギーの圧力波を吸収する開孔を吐出部に対応せる構成を開示する特開昭５９年第１３８４６１号公報に基づいた構成としても本発明は有効である。
　【００３９】
　【発明の効果】
　以上説明したように、この発明によれば、記録ヘッドの複数のインク吐出用開口からインクを吐出して記録動作を行い、インク吐出の異常等を回復させる吐出回復動作時には、インク吸引ユニットに備えた吸引部によって、記録ヘッドに備えた複数のインク吐出用開口中の一部のインク吐出用開口を覆い、覆ったインク吐出用開口からインクを吸引する。そしてインク吸引ユニットに備えた移動手段によって吸引部をインク吐出用開口の表面に沿って移動させてインクを吸引することにより、全部のインク吐出用開口からインクを吸引すると共に、インク吐出用開口の周辺に付着したインク滴や異物を清掃回収することができる。
　【００４０】
　オリフィスからインク吐出させることにより、吐出異常の原因となっていたオリフィス内等の塵埃、粘度増加したインク、気泡等は吐出インクと共に排出されて吐出機能を回復する。なお、全部のオリフィスを同時にではなく部分的に順次に吸引してインクを吐出させることにより、効率的に完全に吐出機能を回復させることができる。
　【００４１】
　また吸引部をオリフィスの表面に沿って移動させることにより、オリフィスの周辺部分に付着していたインク滴や異物を清掃して回収し、吐出異常の原因を除くことができ、信頼性の高い確実な吐出回復処理が可能である。
　【００４２】
　なお、吸引部はオリフィスの表面に沿って一方の端のオリフィス部分から他方の端のオリフィス部分まで移動させる構成の他に、吐出不良が生じたオリフィスの近辺だけを移動させる構成とすることもできる。
　【００４３】
　上記は、記録ヘッドの複数のインク吐出用開口の内の一部のインク吐出用開口を覆う従来より小形の吸引部と、吸引部をインク吐出用開口の表面に沿って移動させる移動手段によって構成出来、装置の小形化、低コスト化を計ることもできるインクジェット記録装置を提供することができる。
【図面の簡単な説明】
　【図１】　第１実施例の要部ブロック図である。
　【図２】　第１実施例の要部断面図である。
　【図３】　第２実施例の要部断面図である。
　【図４】　第３実施例の要部断面図である。
　【図５】　従来の記録ヘッドの斜視図である。
　【図６】　従来の記録ヘッドの縦断面図である。
　【図７】　従来の記録ヘッドの横断面図である。
　【図８】　従来の吐出回復系のブロック図である。
　【図９】　従来の記録ヘッド吐出回復系の流体等価回路図である。
　【符号の説明】
　　１　　記録ヘッド
　　５　　廃インクタンク
　　６　　インクタンク
　　７　　ポンプ
　　８　　吸引部
　　９　　弾性材ブレード
　１０　　オリフィス（インク吐出用開口）
　１１　　発熱素子
　１２　　ノズル
　１４　　共通液室